(57)【要約】【課題】ブリスターのサイズを小さくして台紙を大きくすることができるとともに、ブリスターと台紙が簡単に外れないようにする。【解決手段】被支持物を入れるための膨出部３１ａの周縁にフランジ部３１ｂを有するブリスター３１と、ブリスター３１の膨出部３１ａの開口側を塞ぐ台紙３２とからなる。台紙３２はブリスター３１のフランジ部３１ｂを係止するための切込みＳを有しており、ブリスター３１はフランジ部３１ｂに折曲げ可能な延長部分３１ｃを有しており、二つ折りした台紙３２の切込みＳにブリスター３１のフランジ部３１ｂを挿入した状態で、台紙３２の縁に沿って裏側に折り返した延長部分３１ｃを固定するための係止手段を有している。【選択図】図７
2019135177.tif 000002
【特許請求の範囲】
【請求項１】
被支持物を入れるための膨出部の周縁にフランジ部を有するブリスターと、ブリスターの膨出部の開口側を塞ぐ台紙とからなるブリスターパックであって、
台紙は折曲げ線により分割された表面部と裏面部とを備え、表面部にブリスターのフランジ部を係止するための切込みまたは窓を有しており、ブリスターはフランジ部に折曲げ可能な延長部分を有しており、
二つ折りした台紙の切込みまたは窓にブリスターのフランジ部を挿入した状態で、台紙の縁に沿って裏側に折り返した延長部分を固定するための係止手段を有していることを特徴とするブリスターパック。
【請求項２】
被支持物を入れるための膨出部の周縁にフランジ部を有するブリスターと、ブリスターの膨出部の開口側を塞ぐ台紙とからなるブリスターパックであって、
台紙は少なくとも一方に開口がある筒状で、ブリスターの膨出部を突出させるための窓を有しており、ブリスターはフランジ部に折曲げ可能な延長部分を有しており、
台紙の開口からブリスターを挿入してフランジ部を台紙の内面に当接させ、膨出部を窓から突出させた状態で、台紙の縁に沿って裏側に折り返した延長部分を固定するための係止手段を有していることを特徴とするブリスターパック。
【発明の詳細な説明】
【技術分野】
【０００１】
本発明は、化粧品、日用品等の容器入り商品を店頭にて陳列販売する際に、良好なディスプレイ性を発揮させるため、これらをブリスターと呼ばれる透明なプラスチック成形品に入れた状態で台紙の前面に保持させたブリスターパックに関するものである。
【背景技術】
【０００２】
従来より、この種のブリスターパックとして、化粧品、日用品等の容器入り商品を被支持物としてブリスターの膨出部に収納し、それを台紙の前面に保持させた形態とし、必要に応じて吊下げ可能としたものが一般的に広く利用されている。そして、ブリスターと台紙を一体化するに際しては、多くの場合、ブリスターの両サイドに折返し部を設けておき、この折返し部をガイドとしてブリスターを台紙の外側にスライドさせて差し込み、シールで止めたり数カ所をステープルで止めるようにしている。
【０００３】
このタイプのブリスターパックを改良したものとして、ブリスターと台紙の間にロック機能を設けておき、ブリスター又は台紙をスライドさせるだけでロックして一体にできるようにしたもの（例えば、特許文献１参照）や、台紙に対向する平行な切込みを設け、これらの切込みにブリスターの膨出部の両サイドにある平坦部を差し込んで一体化するようにしたもの（例えば、特許文献２参照）が知られている。
【先行技術文献】
【特許文献】
【０００４】
【特許文献１】実用新案登録第３０２５３３１号公報
【特許文献２】特開平１１−１７１２４３号公報
【発明の概要】
【発明が解決しようとする課題】
【０００５】
上記したブリスターパックのうち特許文献１に記載のものは、ロック部分の一方が紙であるため、輸送中や店頭での取扱い時に外れやすいという問題があり、さらには、台紙はブリスターに合わせたサイズであるため、情報量を増やすために台紙を大きくすると、ブリスターも大きくなって使用する樹脂量が多くなるという問題もある。一方、特許文献２に記載のものは、ブリスターのサイズを小さくして台紙を大きく設計できるという利点があるものの、ロック部分は曲げが掛かると外れやすいという問題は残る。
【０００６】
本発明は、上記のような問題点に鑑みてなされたものであり、その目的とするところは、ブリスターのサイズを小さくして台紙を大きくすることができるとともに、輸送中や店頭での取扱い時にブリスターと台紙が簡単に外れることのないブリスターパックを提供することにある。
【課題を解決するための手段】
【０００７】
上記の目的を達成するため、本発明は、被支持物を入れるための膨出部の周縁にフランジ部を有するブリスターと、ブリスターの膨出部の開口側を塞ぐ台紙とからなるブリスターパックであって、
台紙は一枚のシートからなり、ブリスターのフランジ部を係止するための切込みを有しており、ブリスターはフランジ部に折曲げ可能な延長部分を有しており、
台紙の切込みにブリスターのフランジ部を挿入した状態で、台紙の縁に沿って裏側に折り返した延長部分を固定するための係止手段を有していることを特徴とする。
【０００８】
また、同様の目的を達成するため、本発明は、被支持物を入れるための膨出部の周縁にフランジ部を有するブリスターと、ブリスターの膨出部の開口側を塞ぐ台紙とからなるブリスターパックであって、
台紙は折曲げ線により分割された表面部と裏面部とを備え、表面部にブリスターのフランジ部を係止するための切込みまたは窓を有しており、ブリスターはフランジ部に折曲げ可能な延長部分を有しており、
二つ折りした台紙の切込みまたは窓にブリスターのフランジ部を挿入した状態で、台紙の縁に沿って裏側に折り返した延長部分を固定するための係止手段を有していることを特徴とする。
【０００９】
また、同様の目的を達成するため、本発明は、被支持物を入れるための膨出部の周縁にフランジ部を有するブリスターと、ブリスターの膨出部の開口側を塞ぐ台紙とからなるブリスターパックであって、
台紙は少なくとも一方に開口がある筒状で、ブリスターの膨出部を突出させるための窓を有しており、ブリスターはフランジ部に折曲げ可能な延長部分を有しており、
台紙の開口からブリスターを挿入してフランジ部を台紙の内面に当接させ、膨出部を窓から突出させた状態で、台紙の縁に沿って裏側に折り返した延長部分を固定するための係止手段を有していることを特徴とする。
【発明の効果】
【００１０】
本発明のブリスターパックは、ブリスターのフランジ部を台紙に隠した状態で膨出部を台紙から突出させるようにしたので、フランジ部が小さくて済むことから、ブリスターのサイズを小さくして台紙を大きくすることが可能で、樹脂量が少なく済むと同時に、広告や説明などの印刷面を多くとることができ、しかも樹脂越しに印刷絵柄を見ないので色合いが良くなるという効果もある。また、熱融着が不要であるため、設備の必要がなくコストダウンに繋がる。また、ブリスターのフランジ部に延長部分を設け、この延長部分を折り返して台紙を挟んだ状態で係止するようにしたので、ブリスターが台紙にしっかりと固定され、輸送中や店頭での取扱い時にブリスターと台紙が簡単に外れることがない。
【図面の簡単な説明】
【００１１】
【図１】本発明の第１実施形態を示すブリスターパックの正面図である。
【図２】図１のブリスターパックを構成するブリスターの正面図と側面図である。
【図３】図１のブリスターパックを構成する台紙の正面図である。
【図４】本発明の第２実施形態を示すブリスターパックの正面図である。
【図５】図４のブリスターパックを構成するブリスターの正面図と側面図である。
【図６】図４のブリスターパックを構成する台紙の正面図である。
【図７】本発明の第３実施形態を示すブリスターパックの正面図である。
【図８】図７のブリスターパックを構成するブリスターの正面図と側面図である。
【図９】図７のブリスターパックを構成する台紙の正面図である。
【図１０】本発明の第４実施形態のブリスターパックを示す正面図である。
【図１１】図１０のブリスターパックを構成する台紙の正面図である。
【図１２】本発明の第５実施形態のブリスターパックを示す正面図である。
【図１３】図１２のブリスターパックを構成する台紙の正面図である。
【図１４】本発明の第６実施形態を示すブリスターパックの正面図である。
【図１５】図１４のブリスターパックを構成するブリスターの正面図と側面図である。
【図１６】図１４のブリスターパックを構成する台紙の正面図である。
【図１７】本発明の第７実施形態を示すブリスターパックの正面図である。
【図１８】図１７のブリスターパックを構成するブリスターの正面図と側面図である。
【図１９】図１７のブリスターパックを構成する台紙の正面図である。
【図２０】本発明の第８実施形態を示すブリスターパックの正面図である。
【図２１】図２０のブリスターパックを構成するブリスターの正面図と側面図である。
【図２２】図２０のブリスターパックを構成する台紙の正面図である。
【発明を実施するための形態】
【００１２】
〔第１実施形態〕
図１〜図３により本発明の第１実施形態を説明する。
【００１３】
図１のブリスターパック１０は、図２（ａ）に正面図を、図２（ｂ）に側面図をそれぞれ示すブリスター１１と、図３に示す台紙１２とで構成される。
【００１４】
ブリスター１１は、樹脂シートの真空成形品であり、被支持物を入れるための膨出部１１ａと、この膨出部１１ａの周縁に突設されたフランジ部１１ｂとからなっており、フランジ部１１ｂの下側に折曲げ線αを介して延長部分１１ｃを有している。ブリスター１１の膨出部１１ａは、ここでは被支持物である扁平プラスチックケースの形状に合わせてあり、ケースの内容物は例えば化粧品である。
【００１５】
ブリスター１１の延長部分１１ｃには、図示の如く、裏面側に突き出た凸部１３が左右両側に設けられており、これらの凸部１３に対応してフランジ部１１ｂには表面側に突き出た凹部１４が設けられている。すなわち、凸部１３と凹部１４は折曲げ線αを中心とした対称位置に設けられており、延長部分１１ｃを折曲げ線αで折り返したときに嵌合するようになっている。
【００１６】
台紙１２は、ブリスター１１の膨出部１１ａの開口側を塞ぐもので、ブリスター１１より一回り大きいサイズになっており、図３に示すように、ブリスター１１のフランジ部１１ｂを係止するための一対の切込みＳを有している。これらの切込みＳは、下方からブリスター１１のフランジ部１１ｂを差し込んで挿入したときに、膨出部１１ａを突出した状態で保持できる形状になっており、台紙１２にブリスター１１を挿入し、ブリスター１１の折曲げ線αが台紙１２の下辺に重なる位置にきたところで、フランジ部１１ｂの上辺が切込みＳの上端に突き当たるようになっている。切込みＳは、ブリスター１１のフランジ部１１ｂを差し込みやすくするため、下部先端に斜め上向きの屈曲部分を有しており、ブリスター１１のフランジ部１１ｂが当たって破れるのを防止するため、上部に内向きの折返し部分を有している。
【００１７】
そして、台紙１２には、下部に一対の孔１５が設けられている。これらの孔１５は、切込みＳの下部と台紙１２の下辺との間に位置し、ブリスター１１におけるフランジ部１１ｂの凹部１４と同じ円形で且つ同じ間隔で設けられており、台紙１２にブリスター１１を挿入し終わったときに凹部１４と重なるようになっている。また、台紙１２には上部中央に吊下げ孔ｈが設けられており、この吊下げ孔ｈは、ブリスターパック１０を吊り下げて陳列する際にハンガー等が通る貫通孔である。
【００１８】
図１のブリスターパック１０を組み立てる手順は次のようである。まず、ブリスター１１の膨出部１１ａに被支持物を入れた状態で、台紙１２の切込みＳに下方からフランジ部１１ｂを差し込んで挿入する。そして、フランジ部１１ｂの上辺が切込みＳの上端に突き当たったところで、延長部分１１ｃを折曲げ線αのところで台紙１２の縁に沿って裏側に折り返し、その折り返した延長部分１１ｃにある凸部１３を、台紙１２の孔１５を通して押し込むことで、フランジ部１１ｂにある凹部１４に嵌合する。このように、台紙１２の縁に沿って裏側に折り返した延長部分１１ｃを係止することにより、折曲げ線αで折り返した延長部分１１ｃが固定される。
【００１９】
このようにして組み立てられた図１のブリスターパック１０は、ブリスター１１の下部に設けられた凸部１３と凹部１４とからなる係止手段により、折り返した延長部分１１ｃがしっかりと固定された状態になり、輸送中や店頭での取扱い時にブリスター１１が台紙１２から簡単に外れることがない。被支持物を取り出すときは、凸部１３と凹部１４の係止を外して台紙１２からブリスター１１を引き出すようにすればよい。また、内容物を使用して残った場合、被支持物を元に戻して保管することもできる。
【００２０】
〔第２実施形態〕
図４〜図６により本発明の第２実施形態を説明する。
【００２１】
図４のブリスターパック２０は、図５（ａ）に正面図を、図５（ｂ）に側面図をそれぞれ示すブリスター２１と、図６に示す台紙２２とで構成される。
【００２２】
ブリスター２１は、樹脂シートの真空成形品であり、被支持物を入れるための膨出部２１ａと、この膨出部２１ａの周縁に突設されたフランジ部２１ｂとからなっており、フランジ部２１ｂの上下にそれぞれ折曲げ線αを介して延長部分２１ｃを有している。ブリスター２１の膨出部２１ａは、ここでは被支持物であるチューブ容器の形状に合わせてあり、チューブ容器の内容物は例えば接着剤である。
【００２３】
ブリスター２１の延長部分２１ｃには、図示の如く、裏面側に突き出た凸部２３が左右両側に設けられており、これらの凸部２３に対応してフランジ部２１ｂには表面側に突き出た凹部２４が設けられている。すなわち、凸部２３と凹部２４は折曲げ線αを中心とした対称位置に設けられており、延長部分２１ｃを折曲げ線αで折り返したときに嵌合するようになっている。
【００２４】
台紙２２は、ブリスター２１の膨出部２１ａの開口側を塞ぐもので、ブリスター２１より左右に大きいサイズで特に右側が特に大きくなっており、図６に示すように、ブリスター２１のフランジ部２１ｂを係止するための一対の切込みＳを有している。これらの切込みＳは、下方からブリスター２１のフランジ部２１ｂを差し込んで挿入したときに、膨出部２１ａを突出した状態で保持できる形状になっており、台紙２２にブリスター２１を挿入し、ブリスター２１の上下の折曲げ線αがそれぞれ台紙２２の上辺と下辺に重なる位置にくる辺りで、膨出部２１ａの下部が切込みＳに当たってブレーキが掛かるようになっている。切込みＳは、ブリスター２１のフランジ部２１ｂを差し込みやすくするため、下部先端に斜め上向きの屈曲部分を有しており、ブリスター２１のフランジ部２１ｂが通りやすくするため、上部先端に斜め下向きの屈曲部分を有している。
【００２５】
そして、台紙２２には、上部および下部にそれぞれ一対の孔２５が設けられている。これらの孔２５は、切込みＳの上部と台紙２２の上辺の間、および切込みＳの下部と台紙２２の下辺との間に位置し、ブリスター２１におけるフランジ部２１ｂの凹部２４と同じ円形で且つ同じ間隔で設けられており、台紙２２にブリスター２１を挿入し終わったときに凹部２４と重なるようになっている。また、ブリスター２１には上側の延長部分２１ｃに吊下げ部分２６が切込み線で区画されており、折曲げ線αで折り曲げたときに吊下げ部分１５がフランジ部２１ａから突出するようになっている。この吊下げ部分２６には吊下げ孔ｈが設けられており、この吊下げ孔ｈは、ブリスターパック２０を吊り下げて陳列する際にハンガー等が通る貫通孔である。
【００２６】
図４のブリスターパック２０を組み立てる手順は次のようである。まず、ブリスター２１の膨出部２１ａに被支持物を入れた状態で、台紙２２の切込みＳに下方からフランジ部２１ｂを差し込んで挿入する。そして、上下の延長部分２１ｃがそれぞれ台紙２２の上辺と下辺に合致したところで、各延長部分２１ｃを折曲げ線αのところで台紙２２の縁に沿って裏側に折り返し、その折り返した延長部分２１ｃにある凸部２３を、台紙２２の孔２５を通して押し込むことで、フランジ部２１ｂにある凹部２４に嵌合する。このように、台紙２２の縁に沿って裏側に折り返した延長部分２１ｃを係止することにより、折曲げ線αで折り返した延長部分２１ｃが固定される。
【００２７】
このようにして組み立てられた図４のブリスターパック２０は、ブリスター２１の上下にそれぞれ設けられた凸部２３と凹部２４とからなる係止手段により、折り返した延長部分２１ｃがしっかりと固定された状態になり、輸送中や店頭での取扱い時にブリスター２１が台紙２２から簡単に外れることがない。被支持物を取り出すときは、凸部２３と凹部２４の係止を外して台紙２２からブリスター２１を引き出すようにすればよい。また、内容物を使用して残った場合、被支持物を元に戻して保管することもできる。
【００２８】
〔第３実施形態〕
図７〜図９により本発明の第３実施形態を説明する。
【００２９】
図７のブリスターパック３０は、図８（ａ）に正面図を、図８（ｂ）に側面図をそれぞれ示すブリスター３１と、図９に示す台紙３２とで構成される。
【００３０】
ブリスター３１は、樹脂シートの真空成形品であり、被支持物を入れるための膨出部３１ａと、この膨出部３１ａの周縁に突設されたフランジ部３１ｂとからなっており、フランジ部３１ｂの下側に折曲げ線αを介して延長部分３１ｃを有している。ブリスター３１の膨出部３１ａは、ここでは被支持物である小さなプラスチックボトルの形状に合わせてあり、ボトルの内容物は例えば化粧品である。
【００３１】
ブリスター３１の延長部分３１ｃには、図示の如く、裏面側に突き出た凸部３３が左右両側に設けられており、これらの凸部３３に対応してフランジ部３１ｂには表面側に突き出た凹部３４が設けられている。すなわち、凸部３３と凹部３４は折曲げ線αを中心とした対称位置に設けられており、延長部分３１ｃを折曲げ線αで折り返したときに嵌合するようになっている。
【００３２】
台紙３２は、ブリスター３１の膨出部３１ａの開口側を塞ぐもので、図９に示すように、折曲げ線βにより上下に分割された表面部３２ａと裏面部３２ｂとを備えており、折曲げ線βのところで二つ折りして貼り合わせた状態で使用される。
【００３３】
台紙３２の表面部３２ａは、ブリスター３１のフランジ部３１ｂを係止するための一対の直線状の切込みＳを有している。これらの切込みＳは、下方からブリスター３１のフランジ部３１ｂを差し込んで挿入したときに、膨出部３１ａを突出した状態で保持できる形状になっており、二つ折り状態の台紙３２にブリスター３１を挿入し、ブリスター３１の折曲げ線αが台紙３２の折曲げ線βに重なる位置にきたところで、フランジ部３１ｂの上辺が切込みＳの上端に突き当たるようになっている。切込みＳは、ブリスター３１のフランジ部３１ｂを差し込みやすくするため、直線の下部先端に斜め上向きの屈曲部分を有しており、ブリスター３１のフランジ部３１ｂが当たって破れるのを防止するため、直線の上部に内向きの折返し部分を有している。台紙３２は、二つ折りして内面同士を貼り合わせるときに、ブリスター３１のフランジ部３１ｂと重ならないところで糊付けして貼着する。
【００３４】
台紙３２には、表面部３２ａの下部とそれに対応する裏面部３２ｂにそれぞれ一対の孔３５が設けられている。表面部３２ａの孔３５は、切込みＳの下部と折曲げ線βとの間に位置し、ブリスター３１におけるフランジ部３１ｂの凹部３４と同じ円形で且つ同じ間隔で設けられており、裏面部３２ｂの孔３５は、表面部３２ａの孔３５と折曲げ線βを中心とした対称位置に設けられており、台紙３２を折曲げ線βで二つ折りしたときに、表面部３２ａの孔３５と重なるようになっている。そして、二つ折り状態の台紙３２にブリスター３１を挿入し終わったときに凹部３４と重なるようになっている。また、表面部３２ａと裏面部３２ｂには、二つ折り状態としたときに重なり合う吊下げ孔ｈが設けられており、この吊下げ孔ｈは、ブリスターパック３０を吊り下げて陳列する際にハンガー等が通る貫通孔である。
【００３５】
図７のブリスターパック３０を組み立てる手順は次のようである。まず、ブリスター３１の膨出部３１ａに被支持物を入れた状態で、二つ折り状態の台紙３２の切込みＳに下方からフランジ部３１ｂを差し込んで挿入する。そして、フランジ部３１ｂの上辺が切込みＳの上端に突き当たったところで、延長部分３１ｃを折曲げ線αのところで台紙３２の縁に沿って裏側に折り返し、その折り返した延長部分３１ｃにある凸部３３を、台紙３２の孔３５を通して押し込むことで、フランジ部３１ｂにある凹部３４に嵌合する。このように、台紙３２の縁に沿って裏側に折り返した延長部分３１ｃを係止することにより、折曲げ線αで折り返した延長部分３１ｃが固定される。
【００３６】
このようにして組み立てられた図７のブリスターパック３０は、ブリスター３１の下部に設けられた凸部３３と凹部３４とからなる係止手段により、折り返した延長部分３１ｃがしっかりと固定された状態になり、しかも、ブリスター３１のフランジ部３１ｂは両サイドが台紙３２の表面部３２ａと裏面部３２ｂに挟まれた状態になるので、輸送中や店頭での取扱い時にブリスター３１が台紙３２から簡単に外れることがない。被支持物を取り出すときは、凸部３３と凹部３４の係止を外して台紙３２からブリスター３１を引き出すようにすればよい。また、内容物を使用して残った場合、被支持物を元に戻して保管することもできる。
【００３７】
〔第４実施形態〕
図７のブリスターパックの第１変形例を図１０に示す。なお、図７と同じ構成部位には同じ符号を付してその説明を省略する。
【００３８】
図１０のブリスターパック３０は、図７に示すブリスターパック３０と比べると、ブリスター３１に同じものを使用しているが、台紙３２はその構成の一部を変えてある。すなわち、図１１に示すように、台紙３２の表面部３２ａに設ける切込みＳの上部を繋げ、その形状をブリスター３１の膨出部３１ａに合わせている。
【００３９】
この台紙３２を使用すると、ブリスター３１の下部に設けられた凸部３３と凹部３４とからなる係止手段により、折り返した延長部分３１ｃがしっかりと固定された状態になることに加え、図１０に示すように、ブリスター３１のフランジ部３１ｂの両サイドのみならず、上部も台紙３２の表面部３２ａと裏面部３２ｂの間に挟まれた状態になるので、図７のブリスターパック３０に比べると、ブリスター３２が台紙３１からより一層外れにくくなる。
【００４０】
〔第５実施形態〕
図７のブリスターパックの第２変形例を図１２に示す。なお、図７と同じ構成部位には同じ符号を付してその説明を省略する。
【００４１】
図１２のブリスターパック３０は、図７に示すブリスターパック３０と比べると、ブリスター３１は同じものであるが、台紙３２には構成の異なるものを用いている。すなわち、台紙３２は、図１３に示すように、折曲げ線βにより左右に分割された表面部３２ａと裏面部３２ｂとを備えており、折曲げ線βのところで二つ折りして貼り合わせた状態で使用される。
【００４２】
台紙３２の表面部３２ａは、ブリスター３１のフランジ部３１ｂを係止するための窓Ｗを有している。この窓Ｗは、ブリスター３１のフランジ部３１ｂを差し込むため、下部をフランジ部３１ｂが通る大きさに広げて拡大部３６としてある。そして、窓Ｗは、下方の拡大部３６からブリスター３１のフランジ部３１ｂを差し込んで挿入したときに、膨出部３１ａを突出した状態で保持できる形状になっており、二つ折り状態の台紙３２にブリスター３１を挿入し、ブリスター３１の折曲げ線αが台紙３２の下辺に重なる位置にきたところで、膨出部３１ａの上端が窓Ｗの上端に突き当たるようになっている。
【００４３】
台紙３２の裏面部３２ｂには、表面部３２ａの窓Ｗの拡大部３６に対応する位置に一対の孔３５が設けられている。この孔３５は、ブリスター３１におけるフランジ部３１ｂの凹部３４と同じ円形で且つ同じ間隔で設けられており、台紙３２を折曲げ線βで二つ折りしたときに、窓Ｗの拡大部３６と重なるようになっている。そして、二つ折り状態の台紙３２にブリスター３１を挿入し終わったときに凹部３４と重なるようになっている。また、表面部３２ａと裏面部３２ｂには、二つ折り状態としたときに重なり合う吊下げ孔ｈが設けられており、この吊下げ孔ｈは、ブリスターパック３０を吊り下げて陳列する際にハンガー等が通る貫通孔である。
【００４４】
図１２のブリスターパック３０を組み立てる手順は次のようである。まず、ブリスター３１の膨出部３１ａに被支持物を入れた状態で、二つ折り状態の台紙３２の窓Ｗに下方からフランジ部３１ｂを差し込んで挿入する。そして、膨出部３１ａが台紙３１の窓Ｗに合致したところで、延長部分３１ｃを折曲げ線αのところで台紙３２の縁に沿って裏側に折り返し、その折り返した延長部分３１ｃにある凸部３３を、台紙３２の孔３５と窓Ｗの拡大部３６を通して押し込むことで、フランジ部３１ｂにある凹部３４に嵌合する。このように、台紙３２の縁に沿って裏側に折り返した延長部分３１ｃを係止することにより、折曲げ線αで折り返した延長部分３１ｃが固定される。
【００４５】
このようにして組み立てられた図１２のブリスターパック３０は、ブリスター３１の下部に設けられた凸部３３と凹部３４とからなる係止手段により、折り返した延長部分３１ｃがしっかりと固定された状態になり、しかも、ブリスター３１のフランジ部３１ｂは上部と左右両サイドが台紙３２の表面部３２ａと裏面部３２ｂに挟まれた状態になるので、輸送中や店頭での取扱い時にブリスター３１が台紙３２から簡単に外れることがない。被支持物を取り出すときは、凸部３３と凹部３４の係止を外して台紙３２からブリスター３１を引き出すようにすればよい。また、内容物を使用して残った場合、被支持物を元に戻して保管することもできる。
【００４６】
〔第６実施形態〕
図１４〜図１６により本発明の第６実施形態を説明する。
【００４７】
図１４のブリスターパック４０は、図１５（ａ）に正面図を、図１５（ｂ）に側面図をそれぞれ示すブリスター４１と、図１６に示す台紙４２とで構成される。
【００４８】
ブリスター４１は、樹脂シートの真空成形品であり、被支持物を入れるための膨出部４１ａと、この膨出部４１ａの周縁に突設されたフランジ部４１ｂとからなっており、フランジ部４１ｂの下側に折曲げ線αを介して延長部分４１ｃを有している。そして、この延長部分４１ｃには、台紙４２の突出片４５（後述）を差し込むための矩形状の孔４３が設けられている。ブリスター４１の膨出部４１ａは、ここでは被支持物であるチューブ容器の形状に合わせてあり、チューブ容器の内容物は例えば接着剤である。
【００４９】
台紙４２は、ブリスター４１の膨出部４１ａの開口側を塞ぐもので、図１６に示すように、折曲げ線βにより左右に分割された表面部４２ａと裏面部４２ｂを備えており、折曲げ線βのところで二つ折りして貼り合わせた状態で使用される。
【００５０】
台紙４２の表面部４２ａは、ブリスター４１のフランジ部４１ｂを係止するための窓Ｗを有している。この窓Ｗは、ブリスター４１のフランジ部４１ｂを差し込むため、下部をフランジ部４１ｂが通る大きさに広げて拡大部４４としてある。そして、窓Ｗは、下方の拡大部４４からブリスター４１のフランジ部４１ｂを差し込んで挿入したときに、膨出部４１ａを突出した状態で保持できる形状になっており、二つ折り状態の台紙４２にブリスター４１を挿入し、ブリスター４１の折曲げ線αが台紙４２の下辺に重なる位置にきたところで、膨出部４１ａの上端が窓Ｗの上端に突き当たるようになっている。
【００５１】
台紙４２の裏面部４２ｂには、表面部４２ａの窓Ｗの下部に対応する位置に矢形状の突出片４５が設けられている。ブリスター４１の延長部分４１ｃに設けられた孔４３の上辺には、台紙４２の突出片４５が入る長さで左右に延びたスリットが設けられており、突出片４５を孔４３に差し込んで係止することができるようになっている。また、表面部４２ａと裏面部４２ｂには、二つ折り状態としたときに重なり合う吊下げ孔ｈが設けられており、この吊下げ孔ｈは、ブリスターパック４０を吊り下げて陳列する際にハンガー等が通る貫通孔である。
【００５２】
図１４のブリスターパック４０を組み立てる手順は次のようである。まず、ブリスター４１の膨出部４１ａに被支持物を入れた状態で、二つ折り状態の台紙４２の窓Ｗに下方からフランジ部４１ｂを差し込んで挿入する。そして、膨出部４１ａが台紙４２の窓Ｗに合致したところで、延長部分４１ｃを折曲げ線αのところで台紙４２の縁に沿って裏側に折り返し、その折り返した延長部分４１ｃにある孔４３に、裏面部４２ｂの突出片４５を差し込んで係止する。このように、台紙４２の縁に沿って裏側に折り返した延長部分４１ｃを係止することにより、折曲げ線αで折り返した延長部分４１ｃが固定される。
【００５３】
このようにして組み立てられた図１４のブリスターパック４０は、ブリスター４１の下部に設けられた孔４３と台紙４２の裏面部４２ｂの突出片４５とからなる係止手段により、折り返した延長部分４１ｃがしっかりと固定された状態になり、しかも、ブリスター４１のフランジ部４１ｂは上部と左右両サイドが台紙４２の表面部４２ａと裏面部４２ｂに挟まれた状態になるので、輸送中や店頭での取扱い時にブリスター４１が台紙４２から簡単に外れることがない。被支持物を取り出すときは、突出片４５と孔４３の係止を外して台紙４２からブリスター４１を引き出すようにすればよい。また、内容物を使用して残った場合、被支持物を元に戻して保管することもできる。
【００５４】
〔第７実施形態〕
図１７〜図１９により本発明の第７実施形態を説明する。
【００５５】
図１７のブリスターパック５０は、図１８（ａ）に正面図を、図１８（ｂ）に側面図をそれぞれ示すブリスター５１と、図１９に示す台紙５２とで構成される。
【００５６】
ブリスター５１は、樹脂シートの真空成形品であり、被支持物を入れるための膨出部５１ａと、この膨出部５１ａの周縁に突設されたフランジ部５１ｂとからなっており、フランジ部５１ｂの下側に折曲げ線αを介して延長部分５１ｃを有している。そして、この延長部分５１ｃには、下方に突き出た矢形状の突出片５３が設けられている。ブリスター５１の膨出部５１ａは、ここでは被支持物であるチューブ容器の形状に合わせてあり、チューブ容器の内容物は例えば接着剤である。
【００５７】
台紙５２は、ブリスター５１の膨出部５１ａの開口側を塞ぐもので、図１９に示すように、折曲げ線βで二つ折りして貼り合わせる表面部５２ａと裏面部５２ｂを備え、さらに表面部５２ａに折曲げ線γを介して拡大部５２ｃを連設している。二つ折り状態の表面部５２ａと裏面部５２ｂは、ブリスター５１より一回り大きいサイズになっており、拡大部５２ｃは二つ折り状態の表面部５２ａと裏面部５２ｂと略同じか僅かに小さいサイズになっている。
【００５８】
台紙５２の表面部５２ａは、ブリスター５１のフランジ部５１ｂを係止するための窓Ｗを有している。この窓Ｗは、ブリスター５１のフランジ部５１ｂを差し込むため、下部をフランジ部５１ｂが通る大きさに広げて拡大部５４としてある。そして、窓Ｗは、下方の拡大部５４からブリスター５１のフランジ部５１ｂを差し込んで挿入したときに、膨出部５１ａを突出した状態で保持できる形状になっており、表面部５２ａと裏面部５２ｂを二つ折りした状態で台紙５２にブリスター５１を挿入し、ブリスター５１の折曲げ線αが台紙５２の下辺に重なる位置にきたところで、膨出部５１ａの上端が窓Ｗの上端に突き当たるようになっている。
【００５９】
台紙５２の裏面部５２ｂには、表面部５２ａの窓Ｗの下部中央に対応する位置に矩形状の孔５５が設けられている。この孔５５の上辺には、ブリスター５１における延長部分５１ｃの突出片５３が入る長さで左右に延びたスリットが設けられており、突出片５３を孔５５に差し込んで係止することができるようになっている。そして、台紙５２の拡大部５２ｃの窓Ｗの下部中央に対応する位置にも、同様な矩形状の孔５６が設けられている。また、表面部５２ａと裏面部５２ｂには、二つ折り状態としたときに重なり合う吊下げ孔ｈが設けられており、この吊下げ孔ｈは、ブリスターパック５０を吊り下げて陳列する際にハンガー等が通る貫通孔である。
【００６０】
図１７のブリスターパック５０を組み立てる手順は次のようである。まず、ブリスター５１の膨出部５１ａに被支持物を入れた状態で、表面部５２ａと裏面部５２ｂを二つ折り状態とした台紙５２の窓Ｗに下方からフランジ部５１ｂを差し込んで挿入する。そして、膨出部５１ａが台紙５２の窓Ｗに合致したところで、延長部分５１ｃを折曲げ線αのところで台紙５２の縁に沿って裏側に折り返し、その折り返した延長部分５１ｃにある突出部５３を、裏面部５２ｂの孔５５に差し込んで係止する。このように、台紙５２の縁に沿って裏側に折り返した延長部分５１ｃを係止することにより、折曲げ線αで折り返した延長部分５１ｃが固定される。
【００６１】
このようにして組み立てられた図１７のブリスターパック５０は、ブリスター５１の下部に設けられた突出片５３と台紙５２の裏面部５２ｂの孔５５とからなる係止手段により、折り返した延長部分５１ｃがしっかりと固定された状態になり、しかも、ブリスター５１のフランジ部５１ｂは上部と左右両サイドが台紙５２の表面部５２ａと裏面部５２ｂに挟まれた状態になるので、輸送中や店頭での取扱い時にブリスター５１が台紙５２から簡単に外れることがない。被支持物を取り出すときは、突出片５３と孔５５の係止を外して台紙５２からブリスター５１を引き出すようにすればよい。また、内容物を使用して残った場合、被支持物を元に戻して保管することもできる。
【００６２】
内容物が残った被支持物を元に戻して保管する場合、次の手順でサイズを小さくすることができる。まず、使用途中の被支持物をブリスター５１の膨出部５１ａに入れ、この状態で台紙５２の窓Ｗに下方からフランジ部５１ｂを差し込んで最後まで挿入する。次いで、台紙５２の拡大部５２ｃを折曲げ線γで折り返して裏面部５２ｂに重ね合わせる。すると、拡大部５２ｃの孔５６が裏面部５２ｂの孔５５と重なるので、ブリスター５１の延長部分５１ｃを折曲げ線αのところで台紙５２の縁に沿って裏側に折り返し、その折り返した延長部分５１ｃにある突出部５３を、拡大部５２ｃの孔５６と裏面部５２ｂの孔５５とが重なったところに差し込んで係止する。これにより、表面部５２ａと裏面部５２ｂが重なったサイズの中に拡大部５２ｃが納まったコンパクトな状態になる。このように、このブリスターパック５０は、台紙５２に拡大部５２ｃがあることにより説明や広告などを多く表示することができ、保管時にはサイズを小さく畳めることができる。
【００６３】
〔第８実施形態〕
図２０〜図２２により本発明の第８実施形態を説明する。
【００６４】
図２０のブリスターパック６０は、図２１（ａ）に正面図を、図２１（ｂ）に側面図をそれぞれ示すブリスター６１と、図２２に示す台紙６２とで構成される。
【００６５】
ブリスター６１は、樹脂シートの真空成形品であり、被支持物を入れるための膨出部６１ａと、この膨出部６１ａの周縁に突設されたフランジ部６１ｂとからなっており、フランジ部６１ｂの下側に折曲げ線αを介して延長部分６１ｃを有している。ブリスター６１の膨出部６１ａは、ここでは被支持物である小さなスプレー缶の形状に合わせてあり、ケースの内容物は例えば消臭剤である。
【００６６】
ブリスター６１の延長部分６１ｃには、図示の如く、裏面側に突き出た凸部６３が左右両側に設けられており、これらの凸部６３に対応してフランジ部６１ｂには表面側に突き出た凹部６４が設けられている。すなわち、凸部６３と凹部６４は折曲げ線αを中心とした対称位置に設けられており、延長部分６１ｃを折曲げ線αで折り返したときに嵌合するようになっている。
【００６７】
台紙６２は、折曲げ線βにより左右に分割された表面部６２ａと裏面部６２ｂとを備えており、表面部６２ａの側辺には折曲げ線ｍを介して糊代片６２ｃが、また上辺には折曲げ線ｎを介して糊代片６２ｄが連設されており、折曲げ線βのところで二つ折りし、折り曲げた糊代片６２ｃ，６２ｄに裏面部６２ｂを貼り合わせて使用される。そして、使用時には、左右両辺から押すことで、上部が閉じた状態で下部に開口がある筒状となり、ブリスター６１をその開口から挿入することになる。
【００６８】
台紙６２の表面部６２ａには、ブリスター６１の膨出部６１ａを突出させるための窓Ｗが設けられている。この窓Ｗのサイズは、上下方向は膨出部６１ａの納まる長さであるが、上部の幅はブリスター６１の膨出部６１ａの幅と同じで、下方に行くに従って幅が徐々に狭くなっている。なお、窓Ｗの上縁には折曲げ線ｏを介して小さな庇６２ｅが設けられている。そして、窓Ｗは、下部を広げた開口からブリスター６１を挿入したときに、膨出部６１ａを窓Ｗから突出した状態で保持するようになっており、ブリスター６１の折曲げ線αが台紙６２の裏面部６２ｂの下辺に重なる位置にきたところで、膨出部６１ａの上端の庇６２ｅを持ち上げつつ窓Ｗの上端に突き当たるようになっている。
【００６９】
台紙６２の裏面部６２ｂには、ブリスター６１のフランジ部６２ｂの幅に合った間隔で２本の上下方向の折れ線ｘ，ｙが、上辺より少し下方の位置から下辺に渡って設けられており、下部を広げた開口からブリスター６１を挿入したときに、折れ線ｘ，ｙで挟まれた部分がフランジ部６１ｂと重なる。また、台紙６２の裏面部６２ｂには、その折れ線ｘ，ｙで挟まれた部分に、一対の孔６５が設けられている。この孔６５は、ブリスター６１におけるフランジ部６１ｂの凹部６３と同じ円形で且つ同じ間隔で設けられており、台紙６２にブリスター６１を挿入し終わったときに凹部６４と重なるようになっている。また、表面部６２ａと裏面部６２ｂには、二つ折り状態としたときに重なり合う吊下げ孔ｈが設けられており、この吊下げ孔ｈは、ブリスターパック６０を吊り下げて陳列する際にハンガー等が通る貫通孔である。なお、上辺に連設する糊代片６２ｄには、この吊下げ孔ｈを避けるように切欠が形成されている。
【００７０】
図２０のブリスターパック６０を組み立てる手順は次のようである。まず、ブリスター６１の膨出部６１ａに被支持物を入れた状態で、下部を広げた台紙６２の開口からブリスター６１を挿入する。そして、膨出部６１ａが台紙６２の窓Ｗに合致したところで、延長部分６１ｃを折曲げ線αのところで台紙６２の縁に沿って裏側に折り返し、その折り返した延長部分６１ｃにある凸部６３を、台紙６２の孔６５を通して押し込むことで、フランジ部６１ｂにある凹部６４に嵌合する。このように、台紙６２の縁に沿って裏側に折り返した延長部分６１ｃを係止することにより、折曲げ線αで折り返した延長部分６１ｃが固定される。
【００７１】
このようにして組み立てられた図２０のブリスターパック６０は、ブリスター６１の下部に設けられた凸部６３と凹部６４とからなる係止手段により、折り返した延長部分６１ｃがしっかりと固定された状態になり、しかも、ブリスター６１のフランジ部６１ｂが台紙６２の裏面部６２ｂの内面に当接し、膨出部６１ａはその両側部が台紙６２の表面部６２ａで押さえられた状態になるので、輸送中や店頭での取扱い時にブリスター６１が台紙６２から簡単に外れることがない。また、このブリスターパック６０は、ブリスター６１の膨出部６１ａのうち隠れた部分が筒内壁を保持するので、筒体は厚みを得て自立することができる。被支持物を取り出すときは、凸部６３と凹部６４の係止を外して台紙６２の開口からブリスター６１を引き出すようにすればよい。また、内容物を使用して残った場合、被支持物を元に戻して保管することもできる。
【００７２】
このブリスターパック６０の変形例として、台紙６２を上下とも開口した筒状体にするとともに、ブリスター６１の上下にそれぞれ延長部分６１ｃを形成し、第２実施形態の如く、上下の延長部分６１ｃを折り返して台紙６２を挟んで固定してもよい。
【００７３】
以上、本発明の実施形態について数種類を挙げて詳細に説明してきたが、本発明によるブリスターパックは、上記の実施形態に何ら限定されるものではなく、本発明の趣旨を逸脱しない範囲において種々の変更が可能であることは当然のことである。
【産業上の利用可能性】
【００７４】
本発明のブリスターパックで用いられる被支持物は、容器に内容物を収納したものを対象としている。実施例では、容器として、プラスチックケース、チューブ容器、ボトル等を挙げ、内容物として、化粧品、接着剤等を挙げて説明したが、本発明において、被支持物としての容器の種類、形状、内容物などは特に限定されるものではない。
【符号の説明】
【００７５】
１０  ブリスターパック
１１  ブリスター
１１ａ  膨出部
１１ｂ  フランジ部
１１ｃ  延長部分
１２  台紙
１３  凸部
１４  凹部
１５  孔
２０  ブリスターパック
２１  ブリスター
２１ａ  膨出部
２１ｂ  フランジ部
２１ｃ  延長部分
２２  台紙
２３  凸部
２４  凹部
２５  孔
２６  吊下げ部分
３０  ブリスターパック
３１  ブリスター
３１ａ  膨出部
３１ｂ  フランジ部
３１ｃ  延長部分
３２  台紙
３３  凸部
３４  凹部
３５  孔
４０  ブリスターパック
４１  ブリスター
４１ａ  膨出部
４１ｂ  フランジ部
４１ｃ  延長部分
４２  台紙
４２ａ  表面部
４２ｂ  裏面部
４３  孔
４４  拡大部
４５  突出片
５０  ブリスターパック
５１  ブリスター
５１ａ  膨出部
５１ｂ  フランジ部
５１ｃ  延長部分
５２  台紙
５２ａ  表面部
５２ｂ  裏面部
５２ｃ  拡大部
５３  突出片
５４  拡大部
５５，５６  孔
６０  ブリスターパック
６１  ブリスター
６１ａ  膨出部
６１ｂ  フランジ部
６１ｃ  延長部分
６２  台紙
６２ａ  表面部
６２ｂ  裏面部
６２ｃ，６２ｄ  糊代片
６２ｅ  庇
６３  凸部
６４  凹部
６５  孔
Ｓ  スリット
Ｗ  窓
α，β，γ  折曲げ線
ｈ  吊下げ孔
ｍ，ｎ，ｏ  折曲げ線
ｘ，ｙ  折れ線
【図１】
2019135177.tif 000003
【図２】
2019135177.tif 000004
【図３】
2019135177.tif 000005
【図４】
2019135177.tif 000006
【図５】
2019135177.tif 000007
【図６】
2019135177.tif 000008
【図７】
2019135177.tif 000009
【図８】
2019135177.tif 000010
【図９】
2019135177.tif 000011
【図１０】
2019135177.tif 000012
【図１１】
2019135177.tif 000013
【図１２】
2019135177.tif 000014
【図１３】
2019135177.tif 000015
【図１４】
2019135177.tif 000016
【図１５】
2019135177.tif 000017
【図１６】
2019135177.tif 000018
【図１７】
2019135177.tif 000019
【図１８】
2019135177.tif 000020
【図１９】
2019135177.tif 000021
【図２０】
2019135177.tif 000022
【図２１】
2019135177.tif 000023
【図２２】
2019135177.tif 000024